(57)【要約】【課題】    採取された検体を、検査時まで密封状態で保持することができ、かつ、従来の採便容器のように、便を容器外に取り出すことなく、スティック型のイムノクロマトグラフィーのような試験片を用いた検査を行うことができる、検体採取用容器を提供すること。【解決手段】  検体採取用容器は、上部開口を有する容器本体と、前記開口を着脱可能に水密に覆う蓋体と、該蓋体の下面に固着され、該蓋体が前記容器本体を覆っている状態では前記容器本体内の空間に懸架される検体採取棒と、前記蓋体に設けられ、外部から試験片を挿入するための透孔と、該透孔を、離脱可能に水密に被覆する手段とを具備する。【選択図】  図２
2005249392.tif 000002
【特許請求の範囲】
【請求項１】
上部開口を有する容器本体と、前記開口を着脱可能に水密に覆う蓋体と、該蓋体の下面に固着され、該蓋体が前記容器本体を覆っている状態では前記容器本体内の空間に懸架される検体採取棒と、前記蓋体に設けられ、外部から試験片を挿入するための透孔と、該透孔を、離脱可能に水密に被覆する手段とを具備する、検体採取用容器。
【請求項２】
前記蓋体の上面に、つまみが設けられている請求項１記載の容器。
【請求項３】
前記検体採取棒の先端部分が、さじ状又は鉤状に形成されている請求項１又は２記載の容器。
【請求項４】
前記透孔を、離脱可能に水密に被覆する手段は、前記蓋体と一体に成形され、かつ、少なくともその周縁部が肉薄に成形された領域から成る請求項１ないし３のいずれか１項に記載の容器。
【請求項５】
前記透孔を、離脱可能に水密に被覆する手段は、前記透孔を被覆する接着性のフィルム又はシートから成る請求項１ないし３のいずれか１項に記載の容器。
【請求項６】
前記透孔を、離脱可能に水密に被覆する手段は、前記透孔を被覆するつまみから成り、該つまみをその根元で折り取ることにより、前記透孔が開口する請求項１ないし３のいずれか１項に記載の容器。
【発明の詳細な説明】
【技術分野】
【０００１】
本発明は、例えば大便や痰等の検体を採取するための検体採取用容器に関する。
【背景技術】
【０００２】
従来の検便容器としては、有底筒体状の容器本体と、便採取棒が下面に固着された蓋体とを具備するものが知られており、被検者が、自身の便を、蓋体に固着された便採取棒で採取し、蓋体で容器本体に蓋をすることにより、採取された便が容器本体内に収容されるタイプのものが知られている（特許文献１）。このタイプのものでは、容器本体内に収容された便について検査をする際に、前記蓋体を容器本体から取り外し、便採取棒上に付着した便を、所定の固体培地等に塗布する。
【０００３】
一方、検体中に目的の被検物質が含まれているか否かを簡便に判定する手段として、スティック型のイムノクロマトグラフィー（免疫クロマトグラフィー）が広く用いられている。このスティック型のイムノクロマトグラフィーでは、例えば、細長いろ紙等の基板上に、目視可能な金コロイド等で標識した第１の被検物質特異抗体を含ませた領域と、第１の被検物質特異抗体とは対応エピトープが異なり、第１の被検物質特異抗体と同時に被検物質に結合することが可能な第２の被検物質特異抗体が線状に基板上に固相化された領域（テストライン）と、第１の被検物質特異抗体に対して特異的な抗体が線状に基板上に固相化された領域（コントロールライン）をこの順に含む（例えば、特許文献２）。被検試料を、スティック型のイムノクロマトグラフィーの一端（テストライン側の一端）に付着させると、毛管現象により被検試料は先ず、金コロイド標識抗体が含浸された領域に至り、被検試料中に被検物質が含まれている場合には、被検物質と金コロイド標識抗体が結合する。さらに毛管現象により、液がテストラインに到達すると、金コロイド標識抗体と結合した被検物質が、基板上に線状に固相化されている第２の被検物質特異抗体と結合し、それによって、金コロイドがテストライン上に固相化されてテストラインが着色される。毛管現象によりさらに液が進み、コントロールラインに到達すると、未反応の金コロイド標識抗体が、コントロールライン上に固相化された抗体に結合され、コントロールラインが着色される。このように、被検試料中に被検物質が含まれる場合には、テストラインとコントロールラインの両方が金コロイドにより着色される。一方、被検試料中に被検物質が含まれない場合には、テストライン上には何も結合されず、コントロールラインのみが金コロイドにより着色される。従って、テストラインが着色されるか否かにより、被検試料中に被検物質が含まれるか否かを調べることができる。
【０００４】
【特許文献１】実開平1-136460号公報
【特許文献２】特公平7-46107号公報
【発明の開示】
【発明が解決しようとする課題】
【０００５】
特許文献１に記載されているような従来の採便容器では、検査の際に容器の蓋体を取り外して便を容器外に出さなければならないので不衛生である。
【０００６】
本発明の目的は、採取された検体を、検査時まで密封状態で保持することができ、かつ、従来の採便容器のように、便を容器外に取り出すことなく、スティック型のイムノクロマトグラフィーのような試験片を用いた検査を行うことができる、検体採取用容器を提供することである。
【課題を解決するための手段】
【０００７】
本発明は、上部開口を有する容器本体と、前記開口を着脱可能に水密に覆う蓋体と、該蓋体の下面に固着され、該蓋体が前記容器本体を覆っている状態では前記容器本体内の空間に懸架される検体採取棒と、前記蓋体に設けられ、外部から試験片を挿入するための透孔と、該透孔を、離脱可能に水密に被覆する手段とを具備する、検体採取用容器を提供する。
【発明の効果】
【０００８】
本発明によれば、採取した検体を検査時まで水密に密封して保持することができ、検査の際にも検体を容器外に取り出す必要がなく、検査後には、検体を密封状態で廃棄することができるので、衛生的に検査及び検査後の廃棄を行うことができる。
【発明を実施するための最良の形態】
【０００９】
本発明の検体採取用容器の好ましい１具体例を図面に基づき説明する。図１は、本発明の検体採取用容器の好ましい１具体例の斜視図、図２は、図１の容器の容器本体と蓋体とを分離して示す斜視図、図３は、図２に示す蓋体の平面図である。
【００１０】
図１及び図２に示すように、検体採取用容器は、上部開口１０（図２）を有する容器本体１２と、上部開口１０を着脱可能に水密に覆う蓋体１４を具備する。ここで、「水密」とは、後述する、容器本体内に収容される検体調製液が、輸送中の振動等によって外部にこぼれ出たり、あるいは被検者等が誤って容器を倒して直ぐに立て直した場合に容器本体内に収容される検体調製液が外部にこぼれ出たりしないことを意味し、必ずしも厳密な防水を達成する必要はない。蓋体１４の下面には、検体採取棒１６が固着されている。蓋体１４が、容器本体１２を覆っている状態では、検体採取棒１６は、容器本体１２内の空間に懸架される。検体採取棒の先端部分は、図２に示すようにさじ状又は鉤状に形成されていることが好ましい。これにより、便等の検体を採取しやすくなる。蓋体１４には、外部からスティック型のイムノクロマトグラフィー等の試験片を挿入するための透孔１８が設けられている。さらに、蓋体１４には、扁平な突起物であるつまみ２０が設けられている。図示の例では、つまみ２０は、透孔１８に隣接して設けられている。蓋体１４は、さらに、透孔１８を、離脱可能に水密に被覆する手段（図示せず、以下、単に「被覆手段」）を具備する。ここで、「離脱可能」とは、検査時に該手段を離脱させることができる、すなわち、取り外すことができるという意味であり、また、「水密」は上記と同じ意味である。被覆手段としては、透孔１８を被覆する接着性のフィルム又はシートを挙げることができる。あるいは、蓋体１４と一体に成形され、かつ、少なくともその周縁部が肉薄に成形された領域であってもよい。すなわち、透孔１８を被覆する部材を蓋体１４と一体に成形し、かつ、その少なくとも周縁部を肉薄に成形しておくことにより、被覆手段とすることもできる。なお、容器本体１２や蓋体１４を構成する材料は、検体や検体調製液と反応しないものであれば何ら限定されるものではなく、プラスチックや、内面を樹脂フィルムで被覆した紙等を用いることができる。また、検体採取棒１６の材質も検体や検体調製液と反応しないものであれば何ら限定されるものではなく、プラスチックや金属等を用いることができる。
【００１１】
次に使用方法を説明する。容器本体１２内には、予め、緩衝液のような検体調製液が収容される。検体調製液は、検体採取棒１６の少なくとも先端部が浸漬される量含まれる。使用時には、被検者が、容器本体１２から蓋体１４を取り外し、つまみ２０を指で把持して便等の検体を検体採取棒１６の先端で採取し、検体採取棒１６の先端に検体を付着させた状態で再び蓋をする。なお、検体としては、大便、痰、ぬぐい液等を挙げることができるがこれらに限定されるものではない。また、検体の採取も、被検者以外の者が行なってもよい。蓋をすると、検体採取棒１６の先端に付着している検体は、検体調製用液中に浸漬され、検体液が自動的に調製される。この状態において、蓋体１４は容器本体１２を水密に覆っているので、病院や検査センター等の検査場まで、検体がこぼれることなく輸送される。
【００１２】
検査の際には、上記被覆手段を取り除いて透孔１８を開口させる。すなわち、被覆手段が接着性のフィルム又はシートの場合には、該接着性のフィルム又はシートを取り除く。被覆手段が、蓋体１４と一体に成形され、かつ、少なくともその周縁部が肉薄に成形された領域である場合には、これを爪や試験片の端部等で上から押し破ることにより透孔１８を開口させる。そして、開口された透孔１８に、スティック型のイムノクロマトグラフィー等の試験片を挿入し、その一端を容器本体１２内の検体液に浸漬させる。この状態でしばらく放置すると、毛管減少で検体液が吸い上げられ、上記したようにテストラインが着色するか否かで被検物質の有無を検査することができる。なお、試験片は、その少なくとも一端を検体液に浸漬することにより検査を行なうことができるものであれば、スティック型のイムノクロマトグラフィー以外のものであってもよい。また、試験片の長さは、容器本体１２の深さよりも長いことが好ましい。この場合には、試験片から指を離して容器本体１２の中に試験片を立てて放置して免疫反応等の反応を進行させることができる。試験片２２を透孔１８から挿入した様子を図４に示す。
【００１３】
検査終了後は、透孔１８を接着性のフィルム又はシートで水密に被覆して廃棄することができる。この場合、試験片も二つ折りにして、又は２つに切断して透孔１８を介して容器本体１２内へ落とし込み、その後、透孔１８を接着性のフィルム又はシートで水密に被覆しても良い。そうすれば、試験片を別途廃棄する必要がなくなる。
【００１４】
このように、本発明の検体採取用容器を用いれば、一旦、容器本体１２内に収容された検体を再び外部に取り出すことなく検査を行うことができ、衛生的に検査を行うことができる。また、検体の廃棄も、検体を容器本体１２内に水密に収容したまま廃棄することができ、さらに、試験片も容器本体１２内に水密に収容したまま廃棄することもできるので、廃棄も衛生的に行うことができる。
【００１５】
なお、本発明の検体採取用容器は、上記の例に限定されるものではなく、例えば、図５ないし図８に示すような形状のものでもよい。この例では、つまみ２０が小さく、厚手で、透孔１８と少し離れた位置に設けられている。
【００１６】
さらに、図示しないが、つまみ２０で透孔１８を被覆することもできる。この場合には、つまみ２０が被覆手段を兼ねることになる。検査の際には、つまみ２０を根元から折り取ることにより透孔１８を開口させる。
【図面の簡単な説明】
【００１７】
【図１】本発明の検体採取用容器の好ましい１具体例の斜視図である。
【図２】図１に示す具体例の容器本体と蓋体とを分離して示す斜視図である。
【図３】図２に示す蓋体の平面図である。
【図４】図１に示す具体例を用いて検査を行なう様子を示す斜視図である。
【図５】本発明の検体採取用容器の好ましい他の１具体例の斜視図である。
【図６】図５に示す具体例の容器本体と蓋体とを分離して示す斜視図である。
【図７】図６に示す蓋体の平面図である。
【図８】図５に示す具体例を用いて検査を行なう様子を示す斜視図である。
【符号の説明】
【００１８】
１０  上部開口
１２  容器本体
１４  蓋体
１６  検体採取棒
１８  透孔
２０  つまみ
２２  試験片
【図１】
2005249392.tif 000003
【図２】
2005249392.tif 000004
【図３】
2005249392.tif 000005
【図４】
2005249392.tif 000006
【図５】
2005249392.tif 000007
【図６】
2005249392.tif 000008
【図７】
2005249392.tif 000009
【図８】
2005249392.tif 000010